(57)【要約】【課題】  人体に固縛した安全帯におけるフックの着脱操作を行わずに通過できるようにした親綱中間支持具であって、作業者の作業や通行の妨げとならず、また、作業者が怪我をする虞もない親綱中間支持具を提供する。【解決手段】  親綱中間支持具１は、当該親綱中間支持具１を、足場の横方向に延びる短い手摺部材２ｉに着脱可能に取り付けるための取付部１ａと、基端が取付部１ａに固着され、親綱中間支持具１を短い手摺部材２ｉに取り付けたときに、短い手摺部材２ｉの軸線の回りに当該軸線に沿って螺旋を描くように配置される親綱中間支持部１ｂと、を備えている。親綱中間支持部１ｂは、合金製の棒状体を略Ｕの字状に形成した部材からなっている。取付部１ａとしては、スチール製の鋼管用クランプが用いられている。【選択図】  図６
0003212961.tif 000002
【実用新案登録請求の範囲】
【請求項１】
足場の所定箇所間に張設される親綱を、その中間において支持する親綱中間支持具であって、
前記親綱中間支持具を、前記足場の横方向に延びる部材に着脱可能に取り付けるための取付部と、
基端が前記取付部に固着され、前記親綱中間支持具を前記横方向に延びる部材に取り付けたときに、前記横方向に延びる部材の軸線の回りに当該軸線に沿って螺旋を描くように配置される親綱中間支持部と、を備えたことを特徴とする親綱中間支持具。
【請求項２】
前記親綱中間支持部が、棒状体を略Ｕの字状に形成した部材からなる、請求項１に記載の親綱中間支持具。
【請求項３】
前記取付部がクランプである、請求項１又は２に記載の親綱中間支持具。
【考案の詳細な説明】
【技術分野】
【０００１】
本考案は、枠組足場やくさび緊結式足場などの足場の所定箇所間に張設される親綱を、その中間において支持するために使用される親綱中間支持具に関する。
【背景技術】
【０００２】
建設工事現場等における高所作業では、足場を設け、横方向に張設した親綱に命綱である安全帯のフックを繋留して作業するのが一般的である。そして、このような親綱は、一般的に、所定間隔で親綱中間支持体により支持されている（例えば、特許文献１，２を参照）。このため、フックなどを利用して命綱を親綱に繋留し、このフックを親綱に沿って摺動させることにより作業者の横方向への移動を可能にしている場合には、所定間隔ごとに設けられた親綱中間支持体が障害となる。すなわち、摺動によってフックが親綱中間支持体の設けられている箇所に達したとき、そのままではその親綱中間支持体が設けられている箇所を通過することができず、一旦フックを親綱から離脱させなければならない。
しかし、このように、親綱中間支持体の設けられている箇所を通過するごとに、命綱を親綱から離脱することになると、作業者は極めて危険な状態となる。
【０００３】
そこで、従来、人体に固縛した安全帯におけるフックの着脱操作を行わずに通過できるようにした親綱中間支持具が提案されている（例えば、特許文献３を参照）。
特許文献３に開示された親綱中間支持具は、安全帯のフックを貫通させることができる内空間を備え、かつ、端部を有する準環状体にするとともに、その両端部分における互いの側辺を相対向させて前記フックを連ねた安全帯を摺動通過させることができる間隙幅を有する間隙部を介して設定長さの並列区間を設け一重以上二重未満の準螺旋形態にして安全索係留部を形成し、該安全索係留部の外周の一部より直径方向の延長線上を指向する接続片を突設形成するとともに、該接続片の先端に鋼管用クランプ又は緊結金具あるいは一般的な接続金具等の取付部材を装着してなることを特徴としている。
【先行技術文献】
【特許文献】
【０００４】
【特許文献１】実用新案登録第２５２５９８７号公報
【特許文献２】特開２００７−１３８５０９号公報
【特許文献３】特開平９−１００６３３号公報
【考案の概要】
【考案が解決しようとする課題】
【０００５】
しかし、特許文献３に開示された親綱中間支持具では、安全索係留部（準螺旋部分）が踏板が延びる方向と直交する方向（踏板側に突出する方向）に向けて取り付けられることとなるので、これが作業者の作業や通行の妨げになるという問題があった。
また、安全索係留部（準螺旋部分）の端部の切り口が踏板側で剥き出しになっており、作業者の衣服等に当該安全索係留部（準螺旋部分）の端部が引っかかって、作業者が怪我をする虞もあった。
【０００６】
本考案は、従来技術における前記課題を解決するためになされたものであり、人体に固縛した安全帯におけるフックの着脱操作を行わずに通過できるようにした親綱中間支持具であって、作業者の作業や通行の妨げとならず、また、作業者が怪我をする虞もない親綱中間支持具を提供することを目的とする。
【課題を解決するための手段】
【０００７】
前記目的を達成するため、本考案に係る親綱中間支持具の構成は、
（１）足場の所定箇所間に張設される親綱を、その中間において支持する親綱中間支持具であって、
前記親綱中間支持具を、前記足場の横方向に延びる部材に着脱可能に取り付けるための取付部と、
基端が前記取付部に固着され、前記親綱中間支持具を前記横方向に延びる部材に取り付けたときに、前記横方向に延びる部材の軸線の回りに当該軸線に沿って螺旋を描くように配置される親綱中間支持部と、を備えたことを特徴とする。
【０００８】
本考案の親綱中間支持具の上記（１）の構成によれば、親綱中間支持具を横方向に延びる部材に取り付けたときに、親綱中間支持部が、前記横方向に延びる部材の軸線の回りに当該軸線に沿って螺旋を描くように配置される。その結果、前記親綱中間支持部が踏板側に突出することはないので、作業者の作業や通行の妨げになることのない親綱中間支持具を提供することが可能となる。
【０００９】
本考案の親綱中間支持具の上記（１）の構成においては、以下の（２），（３）のような構成にすることが好ましい。
【００１０】
（２）前記親綱中間支持部が、棒状体を略Ｕの字状に形成した部材からなる。
【００１１】
上記（２）の好ましい構成によれば、親綱中間支持部の先端が略Ｕの字状となって、丸みを帯びることとなるため、作業者の衣服等に当該親綱中間支持部の先端が引っかかることを防止することができ、ひいては、作業者が怪我をする虞を低減することができる。
【００１２】
（３）前記取付部がクランプである。
【００１３】
上記（３）の好ましい構成によれば、親綱中間支持具を、足場の横方向に延びる部材に着脱可能に簡単に取り付けることができるとともに、親綱中間支持具の先端の位置（親綱中間支持具の取り付ける角度）を調整できる。
【考案の効果】
【００１４】
本考案によれば、人体に固縛した安全帯におけるフックの着脱操作を行わずに通過できるようにした親綱中間支持具であって、作業者の作業や通行の妨げとならず、また、作業者が怪我をする虞もない親綱中間支持具を提供することができる。
【図面の簡単な説明】
【００１５】
【図１】本考案の一実施形態における親綱中間支持具を、足場に装着した状態を示す斜視図である。
【図２】本考案の一実施形態における親綱中間支持具を、短い手摺部材に取り付けた状態を示す側面図である。
【図３】本考案の一実施形態における親綱中間支持具を、短い手摺部材に取り付けた状態を示す斜視図である。
【図４】本考案の一実施形態における親綱中間支持具の使用状況を示す斜視図である。
【図５】本考案の一実施形態における親綱中間支持具を、短い手摺部材に取り付けた状態での当該親綱中間支持具の使用状況を示す側面図である。
【図６】本考案の一実施形態における親綱中間支持具を、短い手摺部材に取り付けた状態での当該親綱中間支持具の使用状況を示す斜視図である。
【考案を実施するための形態】
【００１６】
以下、好適な実施の形態を用いて本考案をさらに具体的に説明する。但し、下記の実施の形態は本考案を具現化した例に過ぎず、本考案はこれに限定されるものではない。
【００１７】
［足場の全体構成］
まず、本考案の一実施形態における親綱中間支持具が装着される足場の全体構成について、図１を参照しながら説明する。
【００１８】
図１は本考案の一実施形態における親綱中間支持具を、足場に装着した状態を示す斜視図である。
【００１９】
図１に示すように、本実施形態の親綱中間支持具１は、くさび緊結式足場（以下、単に「足場」という）２に装着される。
足場２においては、複数の円筒状をなす合金製の支柱パイプ２ａが所定間隔を置いて立設され、各支柱パイプ２ａは、下端のジャッキ（図示せず）によって高さ調整可能に支持されている。各支柱パイプ２ａの外周面には、上下に所定間隔を置いて、受け金具としての平面コの字状をなす緊結ホルダ２ｂが溶接固定されている。ここで、各緊結ホルダ２ｂは、１８０度対向して同じ高さに配置される一対の第１緊結ホルダと、両第１緊結ホルダに対して軸方向にずれた位置でかつ周方向に９０度ずれた位置に１８０度対向して同じ高さに配置される一対の第２緊結ホルダと、から構成されている。
【００２０】
各支柱パイプ２ａには、足場２の横方向と直交する外方に突出した状態で合金製のブラケット２ｃが支持されている。より具体的には、ブラケット２ｃは、その端部に接合された支持金具２ｄが支柱パイプ２ａの緊結ホルダ２ｂに嵌着されることにより、支柱パイプ２ａに支持される。そして、隣り合うブラケット２ｃ間には、長方形の外観をなす鋼板からなる踏板２ｅが配置されている。ここで、踏板２ｅは、その長手方向の両端部のフック２ｆをブラケット２ｃに掛止することにより、隣り合うブラケット２ｃ間に配置される。
また、隣り合う支柱パイプ２ａ間には、踏板２ｅよりも上方に位置して、合金製の長い手摺部材２ｇが架け渡されている。より具体的には、長い手摺部材２ｇは、その両端部に接合された支持金具２ｈが支柱パイプ２ａの緊結ホルダ２ｂに嵌着されることにより、隣り合う支柱パイプ２ａ間に架け渡される。
以上のようにして、建築用の足場２が組み立てられている。
【００２１】
複数の支柱パイプ２ａには、一つ置きに、長い手摺部材２ｇよりも上方に位置して、かつ、横方向に突出した状態で合金製の短い手摺部材２ｉが支持されている。より具体的には、短い手摺部材２ｉは、その端部に接合された支持金具２ｊが支柱パイプ２ａの緊結ホルダ２ｂに嵌着されることにより、支柱パイプ２ａに片持ち状態で支持される。
短い手摺部材２ｉには、親綱中間支持具１が取り付けられている。そして、この親綱中間支持具１により、足場２の所定箇所間に張設される親綱３を、その中間において支持することができるようにされている（図４を参照）。
【００２２】
［親綱中間支持具の構成］
次に、本考案の一実施形態における親綱中間支持具の具体的構成について、図２，図３をも参照しながら説明する。
【００２３】
図２は本考案の一実施形態における親綱中間支持具を、短い手摺部材に取り付けた状態を示す側面図、図３は当該親綱中間支持具を、短い手摺部材に取り付けた状態を示す斜視図である。
【００２４】
図１から図３に示すように、親綱中間支持具１は、当該親綱中間支持具１を、足場２の横方向に延びる短い手摺部材２ｉに着脱可能に取り付けるための取付部１ａと、基端が取付部１ａに固着され、親綱中間支持具１を短い手摺部材２ｉに取り付けたときに、短い手摺部材２ｉの軸線の回りに当該軸線に沿って螺旋を描くように配置される親綱中間支持部１ｂと、を備えている。このように、親綱中間支持部１ｂは、螺旋状に形成されている。
かかる構成の親綱中間支持具１によれば、親綱中間支持具１を、足場２の横方向に延びる短い手摺部材２ｉに取り付けたときに、親綱中間支持部１ｂが、短い手摺部材２ｉの軸線の回りに当該軸線に沿って螺旋を描くように配置される。その結果、親綱中間支持部１ｂが踏板２ｅ側に突出することはないので、作業者の作業や通行の妨げになることのない親綱中間支持具を提供することが可能となる。
【００２５】
親綱中間支持部１ｂは、合金製の棒状体を略Ｕの字状に形成した部材からなっている。
かかる構成によれば、図２に示すように、親綱中間支持部１ｂの先端が略Ｕの字状となって、丸みを帯びることとなるため、作業者の衣服等に当該親綱中間支持部１ｂの先端が引っかかることを防止することができ、ひいては、作業者が怪我をする虞を低減することができる。
【００２６】
本実施の形態の親綱中間支持具１においては、取付部１ａとしてスチール製の鋼管用クランプが用いられている。より具体的には、図２，図３に示すように、取付部１ａは、短い手摺部材２ｉの軸線方向と平行に延びる回転軸部１ｃによってヒンジ結合されたクランプ本体１ｄ及びクランプ蓋１ｅを主要構成部材としている。これらクランプ本体１ｄ及びクランプ蓋１ｅは、内周が短い手摺部材２ｉの略外周形状に沿うように形成されている。クランプ本体１ｄの、回転軸部１ｃと反対側の端部には、締付け用ボルト１ｆの基端部が回転軸部１ｃと略平行なボルト回転軸部（図示せず）によって軸支されている。また、クランプ蓋１ｅの、回転軸部１ｃと反対側の端部には、締付け用ボルト１ｆが挿通可能な切欠き部（図示せず）が形成されている。そして、クランプ本体１ｄ及びクランプ蓋１ｅによって短い手摺部材２ｉを挟み込み、締付け用ボルト１ｆを、クランプ蓋１ｅの切欠き部に挿通した後、締付け用ボルト１ｆにナット１ｇを螺合することにより、親綱中間支持具１を短い手摺部材２ｉに着脱可能に取り付けることができるようにされている。
このように、取付部１ａとして鋼管用クランプを用いることにより、親綱中間支持具１を、足場２の横方向に延びる短い手摺部材２ｉに着脱可能に簡単に取り付けることができるとともに、親綱中間支持部１ｂの先端の位置（親綱中間支持具１を、短い手摺部材２ｉに取り付けた場合における、短い手摺部材２ｉに対する角度）を調整できる。
【００２７】
［親綱中間支持具の使用方法］
次に、本考案の一実施形態における親綱中間支持具の使用方法について、図４から図６をも参照しながら説明する。
【００２８】
図４は本考案の一実施形態における親綱中間支持具の使用状況を示す斜視図、図５は当該親綱中間支持具を、短い手摺部材に取り付けた状態での当該親綱中間支持具の使用状況を示す側面図、図６は当該親綱中間支持具を、短い手摺部材に取り付けた状態での当該親綱中間支持具の使用状況を示す斜視図である。
【００２９】
まず、図１から図３に示すように、親綱中間支持具１の親綱中間支持部１ｂを、その基端部から、足場２の横方向に延びる短い手摺部材２ｉに挿通し（図２の矢印Ａを参照）、当該短い手摺部材２ｉの回りに沿わせるように配置した状態で、クランプ本体１ｄ及びクランプ蓋１ｅによって短い手摺部材２ｉを挟み込む。そして、締付け用ボルト１ｆを、クランプ蓋１ｅの切欠き部に挿通した後、締付け用ボルト１ｆにナット１ｇを螺合することにより、親綱中間支持具１を短い手摺部材２ｉに取り付ける。
【００３０】
次いで、図４に示すように、足場２の所定箇所間に親綱３を張設し、その中間を親綱中間支持具１の親綱中間支持部１ｂによって支持する。親綱中間支持部１ｂは、上記のように螺旋状に形成されており、親綱３の中間部分は、螺旋状部分の先端部に載せられた状態で支持される（図５，図６を参照）。この場合、鋼管用クランプからなる取付部１ａを、短い手摺部材２ｉ上で周方向に回転させ、親綱中間支持部１ｂの先端部を適当な位置に持っていくことにより（図６の矢印Ｂを参照）、親綱３が親綱中間支持部１ｂから外れにくくすることができる。
上記のように、親綱中間支持具１を、短い手摺部材２ｉに取り付けたとき、親綱中間支持部１ｂは、短い手摺部材２ｉの軸線の回りに当該軸線に沿って螺旋を描くように配置されるので、人体に固縛した安全帯４におけるフック４ａの着脱操作を行わずに、親綱中間支持具１が取り付けられた箇所を通過することができる。
【００３１】
尚、本実施形態においては、取付部１ａとして鋼管用クランプを用いる場合を例に挙げて説明したが、本考案は必ずしもこのような構成に限定されるものではない。
【００３２】
また、本実施形態においては、親綱中間支持具１が、足場２の横方向に延びる短い手摺部材２ｉに取り付けられる場合を例に挙げて説明したが、本考案は必ずしもこのような構成に限定されるものではない。本考案の親綱中間支持具は、足場の横方向に延びる部材に取り付けられるものであり、足場の横方向に延びる部材は、例えば、隣り合う支柱パイプ２ａ間に架け渡される、長い手摺部材２ｇであってもよい。この場合、長い手摺部材２ｇは、親綱中間支持具１が取り付けられた後、隣り合う支柱パイプ２ａ間に架け渡される。
【００３３】
また、本実施形態においては、合金製の棒状体を略Ｕの字状に形成した部材からなる親綱中間支持部１ｂを例に挙げて説明したが、本考案は必ずしもこのような構成に限定されるものではない。本考案の親綱中間支持具を構成する親綱中間支持部は、１本の棒状体を螺旋状に形成したものであってもよい。但し、この場合、親綱中間支持部の先端部は、丸みを帯びていることが好ましい。かかる好ましい構成によれば、作業者の衣服等に当該親綱中間支持部の先端が引っかかることを防止することができ、ひいては、作業者が怪我をする虞を低減することができる。
【００３４】
また、本実施形態においては、くさび緊結式足場２に装着される親綱中間支持具１を例に挙げて説明したが、本考案は必ずしもこのような構成に限定されるものではない。親綱中間支持具１が装着される足場は、例えば、枠組足場等であってもよい。
【符号の説明】
【００３５】
１  親綱中間支持具
１ａ  取付部
１ｂ  親綱中間支持部
１ｃ  回転軸部
１ｄ  クランプ本体
１ｅ  クランプ蓋
１ｆ  締付け用ボルト
１ｇ  ナット
２  くさび緊結式足場
２ａ  支柱パイプ
２ｂ  緊結ホルダ
２ｃ  ブラケット
２ｄ，２ｈ  支持金具
２ｅ  踏板
２ｆ  フック
２ｇ  長い手摺部材
２ｉ  短い手摺部材
３  親綱
４  安全帯
４ａ  フック
【図１】
0003212961.tif 000003
【図２】
0003212961.tif 000004
【図３】
0003212961.tif 000005
【図４】
0003212961.tif 000006
【図５】
0003212961.tif 000007
【図６】
0003212961.tif 000008